(57)【要約】      （修正有）【課題】光学ディスクドライブ用の非常排出装置を保護するための非常排出保護モジュールを提供する。【解決手段】光学ディスクドライブ２０がディスクを読み／書きするとき、排出孔２３を見せるようにケースの保護ドア２４を動かすことは、非常排出の正常でない作動をもたらす。保護ドア２４から突出する接触端部２５は排出信号を光学ディスクドライブ２０に伝達するためにセンサ４６を作動させ、光学ディスクドライブ２０はディスクを保護するために排出動作を開始する。【選択図】図２
2013214347.tif 000002
【特許請求の範囲】
【請求項１】
光学ディスクドライブ用非常排出保護モジュールであって：
スライド溝が形成され、排出孔が前記スライド溝に配置された、ケースと；
前記排出孔を隠すまたは見せるように前記スライド溝内にスライド可能に設置され、前記光学ディスクドライブの内部に向かって突出する接触端部を有する、保護ドアと；
前記接触端部の移動経路上に配置され、前記接触端部によって排出信号を前記光学ディスクドライブに伝達するように作動される、センサと；
前記光学ディスクドライブ内に配置されるとともに前記排出孔に対応する位置に位置付けられ、ディスクを排出するように手動で作動される非常排出装置と；を有し、
前記光学ディスクドライブが前記ディスクを読み込むとともに前記保護ドアが前記排出孔を見せるように動かされるとき、前記接触端部は、前記ディスクを排出するために前記排出信号を前記光学ディスクドライブに伝達するように、前記保護ドアとともに前記センサを作動させるように移動する、
非常排出保護モジュール。
【請求項２】
前記光学ディスクドライブが通常の動作にあるとき、前記保護ドアは前記排出孔を隠す位置にあるとともに、前記センサが前記排出信号を前記光学ディスクドライブに伝達しないように、前記接触端部は前記センサを押す、
請求項１に記載の非常排出保護モジュール。
【請求項３】
前記光学ディスクドライブは、前記排出信号を受信すると、前記ディスクの回転を停止するとともに前記ディスクを排出する、
請求項１に記載の非常排出保護モジュール。
【請求項４】
前記保護ドアが前記排出孔を隠すことを保証するために、前記光学ディスクドライブが、前記接触端部が前記センサを押し続けていることを検出するとき、前記光学ディスクドライブは、通常動作に戻る、
請求項１に記載の非常排出保護モジュール。
【請求項５】
前記光学ディスクドライブが故障し、かつ前記保護ドアが前記排出孔を見せるように移動されるとき、前記接触端部は前記センサから離れるように移動されるとともに前記センサは前記排出信号を前記光学ディスクドライブに伝達せず、前記ディスクは、前記非常排出装置を作動させるように前記排出孔を介して棒を挿入することによって排出される、
請求項１に記載の非常排出保護モジュール。
【請求項６】
前記非常排出装置は：
第１の伝達ギアおよび第２の伝達ギアを駆動するようにセルフロック式ウォームギアを回転させるための伝動モータであって、クラッチギアが、前記第１の伝達ギアから前記第２の伝達ギアへの動力を伝達するまたは遮断するために前記第１の伝達ギアに連結される、伝動モータと；
前記第２の伝達ギアを排出方向に回転させるために前記第２の伝達ギアに接続されたラチェットと；
前記ラチェットを駆動するために、スライド可能に前記排出孔に位置合わせされたラックと；
前記ラックが前記ラチェットを駆動した後に前記ラックを復帰させるためのリターンスプリングであって、前記リターンスプリングの一端が前記ラックに固定されるとともに前記リターンスプリングの他端が前記ケースに固定される、リターンスプリングと；
固定溝が前記クラッチギアを固定するために形成されたスライド板であって、傾斜面が前記スライド板の端部に形成され、前記傾斜面は前記排出孔に対応するとともに前記ラックと前記排出孔との間に位置付けられる、スライド板と；
前記クラッチギアを駆動するために前記スライド板が斜めにスライドした後に前記スライド板を復帰させるための位置決めスプリングであって、前記位置決めスプリングの一端が前記スライド板に固定されるとともに前記位置決めスプリングの他端が前記ケースに固定される、位置決めスプリングと；を有する、
請求項１に記載の非常排出保護モジュール。
【請求項７】
前記非常排出装置は、前記ラチェットの軸上に配置された第１のガイドピンおよび前記ラチェットの近くに配置された第２のガイドピンをさらに有し、第１の傾斜したガイド溝および第２の傾斜したガイド溝が前記スライド板に配置され、前記第１の傾斜したガイド溝および前記第２の傾斜したガイド溝はそれぞれ、前記スライド板を斜めにスライドさせるために案内するように、前記第１のガイドピンおよび前記第２のガイドピンに係合する、
請求項６に記載の非常排出保護モジュール。
【請求項８】
前記スライド板は、前記第２の伝達ギアを解放するために、前記クラッチギアを前記第２の伝達ギアから離すように、斜めにスライドする、
請求項６に記載の非常排出保護モジュール。
【発明の詳細な説明】
【技術分野】
【０００１】
本発明は、非常排出保護モジュール、より具体的には、電源異常または光学ディスクドライブが壊れたとき、ディスクを排出するために手動で駆動される光学ディスクドライブ用非常排出保護モジュールに関する。
【背景技術】
【０００２】
電源異常または光学ディスクドライブが壊れたとき、光学ディスクドライブはディスクを自動的に排出することができない。したがって、光学ディスクドライブは通常、光学ディスクドライブの利便性を増すために、光学ディスクドライブの外部ケースを分解することなしに消費者がディスクを手動で排出することを用意にするための非常排出装置を有する。
【０００３】
図１を参照すると、図１は先行技術の特許文献１に開示された光学ディスクドライブ１０の図である。光学ディスクドライブ１０がディスク１３を排出しようとするとき、光学ディスクドライブ１０の前端に配置された排出ボタン１１が押され、光学ディスクドライブ１０はスピンドルモータ１２の電源を直ちに切断するために排出ボタン１１によって生成された排出信号を受信する。したがって、スピンドルモータ１２によってつかまれたディスク１３は回転を停止し、次にディスク１３は消費者に容易につかまれるために光学ドライブ１０から排出される。しかし、電源異常または光学ディスクドライブ１０が壊れたとき、排出ボタン１１は正常に動作することができず、ディスク１３を排出するためにセルフロック式伝達機構１６を解除するように非常排出装置を作動させるために、光学ディスクドライブ１０の前端に配置された排出孔１５に差し込むためのペーパークリップ等の棒１４しか使用することができない。
【０００４】
しかし、棒１４は光学ディスクドライブ１０の排出孔１５にいつでも差し込むことができるので、光学ディスクドライブが未だに読み込みまたは書き込みをしているとき、非常排出装置は不適切に作動されることを防ぐことができない。いったん非常排出装置が不適切に作動されると、高速の回転ディスク１３は光学ディスクドライブ１０内の内部構成部品に接触し、ディスク１３は損傷または破壊され、使用者にけがをさせることが発生し得る。したがって、光学ディスクドライブの非常排出装置に関して解決されるべき問題がある。
【先行技術文献】
【特許文献】
【０００５】
【特許文献１】米国特許第７，６９８，７１５号
【発明の概要】
【発明が解決しようとする課題】
【０００６】
本発明の目的は、非常排出装置が不適切に作動されることを防ぐために排出孔を隠すための保護ドアを持つ非常排出保護モジュールを提供することである。
【０００７】
本発明の他の目的は、ディスクが損傷されることを防ぐように排出動作を作動させるために、排出信号を光学ディスクドライブに直ちに伝達するように、保護ドアが適切に開かれていないことを検出するためのセンサを持つ非常排出保護モジュールを提供することである。
【課題を解決するための手段】
【０００８】
上述の目的を達成するために、非常排出保護モジュールは、ケースのスライド溝の排出孔を含む。接触端部を持つ保護ドアは、排出孔を隠すまたは見せるようにスライド溝内にスライド可能に設置される。接触端部は排出信号を伝達するためにセンサを作動させる。非常排出装置は、光学ディスクドライブ内に配置されるとともに排出孔の延長線上の位置に位置付けられる。ディスクは手動で排出され得る。光学ディスクドライブがディスクを読み込むとともに保護ドアが排出孔を見せるように動かされるとき、ディスクの回転を停止させるとともにディスクを自動的に排出するために、排出信号を光学ディスクドライブに伝達するように、接触端部は保護ドアとともにセンサを作動させるように移動する。
【０００９】
光学ディスクドライブが通常の動作にあるとき、保護ドアは排出孔を隠す位置にあるとともに、センサが排出信号を光学ディスクドライブに伝達しないように、接触端部はセンサを押す。そして、保護ドアが排出孔を隠すことを保証するために、光学ディスクドライブが、接触端部がセンサを押し続けていることを検出するとき、光学ディスクドライブは、通常動作に戻る。さらに、光学ディスクドライブが故障しているとき、保護ドアは排出孔を見せるように移動され、センサは排出信号を伝達しない。したがって、排出孔を介して非常排出装置を作動させる必要がある。非常排出装置は、第１の伝達ギアおよび第２の伝達ギアを駆動するようにセルフロック式ウォームギアを回転させるための伝動モータを含む。そして、クラッチギアが、第１の伝達ギアから第２の伝達ギアへの動力を伝達するまたは遮断するために第１の伝達ギアに連結される。非常排出装置はさらに、第２の伝達ギアを排出方向に回転させるために第２の伝達ギアに接続されたラチェットを含む。非常排出装置はさらに、ラチェットを駆動するためのラックを含む。非常排出装置はさらに、ラックがラチェットを駆動した後にラックを復帰させるためのリターンスプリングを含む。非常排出装置はさらに、固定溝がクラッチギアを固定するために形成されたスライド板を含む。傾斜面がスライド板の端部に形成され、傾斜面はラックと排出孔との間にある。非常排出装置はさらに、スライド板がクラッチギアを駆動するために斜めにスライドした後にスライド板を復帰させるための位置決めスプリングを含む。
【００１０】
本発明のこれらのおよび他の目的は、様々な図面に示された好適な実施形態の以下の詳細な説明を読んだ後、当業者には疑いなく明らかになるであろう。
【図面の簡単な説明】
【００１１】
【図１】図１は、先行技術の光学ディスクドライブの図である。
【図２】図２は、本発明の実施形態による非常排出装置の上面図である。
【図３】図３は、本発明の実施形態による図２に示された部分Ａの部分拡大図である。
【図４】図４は、本発明の実施形態による第２の伝達ギアから離れているクラッチギアを示す。
【図５】図５は、本発明の実施形態による図４に示された部分Ｂの部分拡大図である。
【図６】図６は、本発明の実施形態による排出機構を作動させている棒を示す。
【発明を実施するための形態】
【００１２】
図２および図３を参照すると、図２は本発明の実施形態による非常排出装置の上面図である。図３は、本発明の実施形態による図２に示された部分Ａの部分拡大図である。非常排出保護モジュールは光学ディスクドライブ２０のケース２１を含み、スライド溝２２がケース２１に形成される。排出孔２３がスライド溝２２に配置される。非常排出保護モジュールはさらに、排出孔２３を隠すまたは見せるようにスライド溝２２内にスライド可能に設置された保護ドア２４を含み、保護ドア２４は、光学ディスクドライブ２０の内部に向かって突出する接触端部２５を含む。非常排出保護モジュールはさらに、接触端部２５の移動経路上に配置されたセンサ２６を含み、センサ２６は、接触端部２５によって、従来の排出ボタンを押すような排出信号を光学ディスクドライブ２０に伝達するように作動され得る。非常排出保護モジュールはさらに、光学ディスクドライブ２０内に配置されるとともに排出孔２３に対応する位置に置かれた非常排出装置３０を含む。この位置は、排出孔２３の延長線上に位置付けられ得る。非常排出装置３０はディスクを排出するために手動で作動され得る。ディスクを手動で排出する必要があるとき、棒２７が、ディスクを排出するために排出孔２３の後ろの非常排出装置３０を押すように、排出孔２３を通って光学ディスクドライブ２０の内部に挿入するために使用され得る。
【００１３】
非常排出装置３０の以下の実施形態は、非常排出保護モジュールの動作を説明するための単なる例である。非常排出保護モジュールは、非常排出装置３０の以下の実施形態に実装される。排出孔２３を持つ全ての非常排出装置には本発明が適用され得る。
【００１４】
非常排出装置３０は、動力を提供するための伝動モータ３１を含む。伝動モータ３１は、第１の伝達ギア３３および第２の伝達ギア３４を駆動するようにセルフロック式ウォームギア３２を回転させるためのものである。クラッチギア３５が、第１の伝達ギア３３から第２の伝達ギア３４に動力を伝達するまたは遮断するために第１の伝達ギア３３に連結される。第２の伝達ギア３４は、ディスク（図示されていない）を挿入するまたは取り出すための挿入および取り出し機構を駆動するため、およびディスク（図示されていない）を回転または離すためのトラバース３６を駆動するために、動力を受ける。挿入および取り出し機構並びにトラバース３６は知られており、したがってそれらに関する詳細な説明は本明細書では省略される。
【００１５】
非常排出装置３０はさらに、第２の伝達ギア３４を排出方向に回転させるために第２の伝達ギア３４に接続されたラチェット３７を含む。第１のガイドピン３８がラチェット３７の軸上に配置され、第２のガイドピン３９がラチェット３７の近くに斜めに配置される。非常排出装置３０はさらに、ラチェット３７を駆動するためにスライド可能に排出孔２３の延長線と一直線に並べられたラック４０を含む。非常排出装置３０はさらに、ラック４０がラチェット３７を駆動した後にラック４０を復帰させるためのリターンスプリング４１を含む。リターンスプリング４１の一端はラック４０に固定され、リターンスプリング４１の他端はケース２１に固定される。非常排出装置３０はさらにスライド板４２を含む。そして、第１の傾斜したガイド溝４３、第２の傾斜したガイド溝４４、および固定溝４５がスライド板４２に配置される。第１の傾斜したガイド溝４３および第２の傾斜したガイド溝４４はそれぞれ第１のガイドピン３８および第２のガイドピン３９に係合し、固定溝４５はクラッチギア３５に係合する。スライド板４２は、クラッチギア３５を移動させるように、第１のガイドピン３８および第２のガイドピン３９に沿って斜めに動かされる。傾斜面４６がスライド板４２の端部に形成され、傾斜面４６は、排出孔２３の延長線上であるとともにラック４０と排出孔２３との間に位置付けられる。非常排出装置３０はさらに、クラッチギア３５を駆動するためにスライド板４２が斜めにスライドした後にスライド板４２を復帰させるための位置決めスプリング４７を含む。位置決めスプリング４７の一端はスライド板４２に固定され、位置決めスプリング４７の他端はケース２１に固定される。
【００１６】
非常排出装置３０の動作に関して、以下のように記載される。光学ディスクドライブ２０が通常の動作にあるとき、保護ドア２４は排出孔２３を隠す位置にあるとともに、接触端部２５はセンサ２６を押すので、センサ２６が排出信号を光学ディスクドライブ２０に伝達しない。図４および図５を参照されたい。図４は、本発明の実施形態による第２の伝達ギアから離れているクラッチギア３５を示す。図５は、本発明の実施形態による図４に示された部分Ｂの部分拡大図である。光学ディスクドライブがディスクを読み込むとともに非常排出装置３０が不適切に操作されたとき、保護ドア２４は排出孔２３を見せるように動かされ、次に接触端部２５が保護ドア２４とともにセンサ２６から離れるように動かされる。結果として、ユーザが棒２７を排出孔２３に挿入したとしても、センサ２６は、ディスクの回転を停止させるように排出信号を光学ディスクドライブ２０に伝達し、ディスクを自動的に排出し、排出されるディスクを損傷させることがない。その後、保護ドア２４が排出孔２３を隠すことを保証するために、接触端部２５がセンサ２６を押し続けていることを光学ディスクドライブ２０が検出するとき、光学ディスクドライブ２０は、通常動作に戻る。
【００１７】
電源異常が発生するまたは光学ディスクドライブ２０が壊れたとき、保護ドア２４は排出孔２３を見せるように動かされるとともに接触端部２５は保護ドア２４とともにセンサ２６から離れるように動かされる。しかし、光学ディスクドライブ２０は正常に動作せず、センサ２６は排出信号を光学ディスクドライブ２０に通常のように伝達することができない。次に、棒２７が、ラック４０と排出孔２３との間のスライド板４２の傾斜面４６に接触するように、排出孔２３を通って挿入するために使用され得る。棒２７は、スライド板４２を第１のガイドピン３８および第２のガイドピン３９に沿って斜めに移動させるように、傾斜面４６に沿って動かされるとともに位置決めスプリング４７の弾性力に抗する。そして次に、棒２７は、ラック４０に接触するとともにスライド板４２を横方向に拘束するように、傾斜面４６の端部に対して接触する。スライド板４２の固定溝４５によって、第２の伝達ギア３４をセルフロック式ウォームギア３２および第１の伝達ギア３３から解放するように、スライド板４２は、クラッチギア３５を第２の伝達ギア３４から分離するように斜めにスライドする。したがって、クラッチギア３５は自由に回転することができる。ディスクは、排出孔２３を介して非常排出装置３０を作動させるように棒２７を挿入することによって、排出される。
【００１８】
図６を参照されたい。図６は、本発明の実施形態による排出機構を作動させている棒２７を示す。棒２７が位置決めスプリング４７の弾性力に抗するとともにラック４０を押し続けるとき、ラック４０は、ディスクを排出するために非セルフロック式の第２の伝達ギア３４を駆動するようにラチェット３７を回転させる。棒２７が引き出されるとき、ラック４０は、リターンスプリング４１の弾性復元力によって復帰されるとともにラチェット３７を逆に駆動する。ラチェット３７は単一方向にしか回転することができないので、ラチェット３７は第２の伝達ギア３４を回転させず、光学ディスクドライブ２０はディスクを排出するために排出状態を保ち続ける。ラック４０を回転させるラチェット３７の動作は、現実的な設計によって決まる。例えば、従来技術のガイドバーを持つスロットイン式光学ディスクドライブは、ディスクを排出するためにラック４０を１から３回押す必要がある。加えて、ローラを持つスロットイン式光学ディスクドライブはディスクを排出するためにラック４０を複数回押す必要がある。図３を再び参照すると、非常排出が終わった後、光学ディスクドライブ２０は、保護ドア２４が排出孔２３を隠すことを保証するために接触端部２５がセンサを押し続けていることを光学ディスクドライブ２０が検出するときのみ通常動作に復帰する。
【００１９】
したがって、本発明の非常排出保護モジュールは、非常排出装置３０の不適切な作動によりディスクが傷つけられることを防止するようにディスクを排出するために、排出孔２３を隠すまたは見せるように、且つ、センサ２６が保護ドア２４が不適切に作動されたことを検出することによって排出信号を光学ディスクドライブ２０に伝達するように、保護ドア２４を配置することによって、非常排出装置３０を保護することができる。
【００２０】
当業者は、本発明の教示を保持したまま非常に多くの装置および方法の修正形態および代替形態が作られ得ることを容易に気付くであろう。したがって、上述の開示は、添付の特許請求の範囲の境界によってのみ限定されるものとして解釈されるべきである。
【図１】
2013214347.tif 000003
【図２】
2013214347.tif 000004
【図３】
2013214347.tif 000005
【図４】
2013214347.tif 000006
【図５】
2013214347.tif 000007
【図６】
2013214347.tif 000008